【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
第１の軸と当該第１の軸の目盛及び数値と第２の軸と当該第２の軸の目盛及び数値とを有する座標平面の画像データである座標平面画像データが記憶される画像データ記憶部と、
前記座標平面上の位置を示す図形であるポイント図形の画像データであるポイント図形画像データと、前記座標平面の一部の領域であって、前記ポイント図形の位置を含む領域を拡大した図形である拡大図形の画像データである拡大図形画像データとを生成する画像生成部と、
前記画像データ記憶部から読み出した座標平面画像データと、前記画像生成部が生成したポイント図形画像データ及び拡大図形画像データとを表示する画像表示部と、
前記画像表示部が表示したポイント図形の位置をグラフィカル・ユーザ・インターフェースによって指定する指示を受け付ける指示受付部と、
前記座標平面上の前記ポイント図形の位置に対応する前記第１の軸の値である第１の数値と、前記第２の軸の値である第２の数値とを取得する数値取得部と、
前記数値取得部が取得した第１及び第２の数値を出力する出力部と、を備え、
前記画像生成部は、前記数値取得部が取得した第１の数値の画像データである第１の数値画像データ、及び前記数値取得部が取得した第２の数値の画像データである第２の数値画像データをも生成し、前記指示受付部が受け付けた指示によって指定された位置に対応するポイント図形画像データを生成し、
前記画像表示部は、前記第１の数値画像データと、前記第２の数値画像データとをも表示し、
前記指示受付部が受け付ける前記ポイント図形の位置の指定の指示は、当該ポイント図形の移動の指示を含むものである、数値入力装置。
【請求項２】
前記座標平面画像データは、前記第１の軸の値と前記第２の軸の値とを引数とする所定の関数の値に応じて複数の領域に分割されている座標平面の画像データである、請求項１記載の数値入力装置。
【請求項３】
第１の軸と当該第１の軸の目盛及び数値と第２の軸と当該第２の軸の目盛及び数値とを有する座標平面の画像データである座標平面画像データと、第３の軸と当該第３の軸の目盛及び数値とを有する座標軸の画像データである座標軸画像データとが記憶される画像データ記憶部と、
前記座標平面上及び前記座標軸上の位置を示す図形であるポイント図形の画像データであるポイント図形画像データと、前記座標平面の一部の領域であって、前記ポイント図形の位置を含む領域を拡大した図形である拡大図形の画像データである拡大図形画像データとを生成する画像生成部と、
前記画像データ記憶部から読み出した座標平面画像データ及び座標軸画像データと、前記画像生成部が生成したポイント図形画像データ及び拡大図形画像データとを表示する画像表示部と、
前記画像表示部が表示したポイント図形の位置をグラフィカル・ユーザ・インターフェースによって指定する指示を受け付ける指示受付部と、
前記ポイント図形の位置に対応する前記第３の軸の値である第３の数値を取得すると共に、前記座標平面上の前記ポイント図形の位置に対応する前記第１の軸の値である第１の数値と、前記第２の軸の値である第２の数値とを取得する数値取得部と、
前記数値取得部が取得した第１から第３の数値を出力する出力部と、を備え、
前記画像生成部は、前記数値取得部が取得した第１の数値の画像データである第１の数値画像データ、前記数値取得部が取得した第２の数値の画像データである第２の数値画像データ、及び、前記数値取得部が取得した第３の数値の画像データである第３の数値画像データをも生成し、前記指示受付部が受け付けた指示によって指定された位置に対応するポイント図形画像データを生成し、
前記画像表示部は、前記第１の数値画像データと、前記第２の数値画像データと、前記第３の数値画像データとをも表示し、
前記指示受付部が受け付ける前記ポイント図形の位置の指定の指示は、当該ポイント図形の移動の指示を含むものである、数値入力装置。
【請求項４】
前記画像表示部は、前記第１から第３の軸が座標空間を構成するように前記座標平面画像データと前記座標軸画像データとを表示する、請求項３記載の数値入力装置。
【請求項５】
前記画像表示部は、前記数値取得部が取得した第３の数値に対応する第３の軸の位置に、前記座標平面画像データを表示する、請求項４記載の数値入力装置。
【請求項６】
前記座標平面画像データは、前記第１の軸の値と前記第２の軸の値と前記第３の軸の値とを引数とする所定の関数であって、前記第３の軸の値に前記第３の数値を代入した関数の値に応じて複数の領域に分割されている座標平面の画像データである、請求項３から請求項５のいずれか記載の数値入力装置。
【請求項７】
前記数値取得部が取得した第１から第３の数値を引数とする所定の関数の計算結果の値を計算する計算部をさらに備え、
前記画像生成部は、前記計算部が計算した関数の計算結果の値の画像データである関数計算結果画像データをも生成し、
前記画像表示部は、前記関数計算結果画像データをも表示する、請求項３から請求項６のいずれか記載の数値入力装置。
【請求項８】
座標軸と当該座標軸の目盛及び数値とを有する画像データである座標軸画像データが記憶される画像データ記憶部と、
前記座標軸上の位置を示す図形であるポイント図形の画像データであるポイント図形画像データと、前記座標軸の一部の領域であって、前記ポイント図形の位置を含む領域を拡大した図形である拡大図形の画像データである拡大図形画像データとを生成する画像生成部と、
前記画像データ記憶部から読み出した座標軸画像データと、前記画像生成部が生成したポイント図形画像データ及び拡大図形画像データとを表示する画像表示部と、
前記画像表示部が表示したポイント図形の位置をグラフィカル・ユーザ・インターフェースによって指定する指示を受け付ける指示受付部と、
前記座標軸上の前記ポイント図形の位置に対応する数値を取得する数値取得部と、
前記数値取得部が取得した数値を出力する出力部と、を備え、
前記画像生成部は、前記数値取得部が取得した数値の画像データである数値画像データを生成し、前記指示受付部が受け付けた指示によって指定された位置に対応するポイント図形画像データを生成し、
前記画像表示部は、前記数値画像データをも表示し、
前記指示受付部が受け付ける前記ポイント図形の位置の指定の指示は、当該ポイント図形の移動の指示を含むものである、数値入力装置。
【請求項９】
前記座標軸画像データは、前記座標軸の値を引数とする所定の関数の値に応じて複数の領域に分割されている座標軸の画像データである、請求項８記載の数値入力装置。
【請求項１０】
前記数値取得部が取得した数値を引数とする所定の関数の計算結果の値を計算する計算部をさらに備え、
前記画像生成部は、前記計算部が計算した関数の計算結果の値の画像データである関数計算結果画像データをも生成し、
前記画像表示部は、前記関数計算結果画像データをも表示する、請求項８または請求項９記載の数値入力装置。
【請求項１１】
前記画像生成部は、前記ポイント図形の位置に応じて表示位置を変更した前記拡大図形画像データを生成する、請求項１から請求項１０のいずれか記載の数値入力装置。
【請求項１２】
前記画像生成部は、前記ポイント図形の位置が前記拡大図形の拡大した領域内である場合には、当該拡大図形の位置を変更しない、請求項１から請求項１０のいずれか記載の数値入力装置。
【請求項１３】
第１から第Ｎの軸（Ｎは２以上の整数）と当該第１から第Ｎの軸のそれぞれの目盛及び数値とを有する各座標軸の画像データである座標軸画像データが記憶される画像データ記憶部と、
前記各座標軸上の位置を示す図形であるポイント図形の画像データであるポイント図形画像データと、前記各座標軸の一部の領域であって、前記ポイント図形に対応する位置を含む領域を拡大した図形である拡大図形の画像データである拡大図形画像データとをそれぞれ前記座標軸ごとに生成する画像生成部と、
前記画像データ記憶部から読み出した座標軸画像データと、前記画像生成部が生成したポイント図形画像データ及び拡大図形画像データとを表示する画像表示部と、
前記画像表示部が表示したポイント図形の位置をグラフィカル・ユーザ・インターフェースによって指定する指示を受け付ける指示受付部と、
前記ポイント図形の位置に対応する前記第１から第Ｎの軸の値である第１から第Ｎの数値を取得する数値取得部と、
前記数値取得部が取得した前記第１から第Ｎの数値を出力する出力部と、を備え、
前記画像生成部は、前記数値取得部が取得した第１から第Ｎの数値の画像データである第１から第Ｎの数値画像データをも生成し、前記指示受付部が受け付けた指示によって指定された位置に対応するポイント図形画像データを生成し、
前記画像表示部は、前記第１から第Ｎの数値画像データをも表示し、
前記指示受付部が受け付ける前記ポイント図形の位置の指定の指示は、当該ポイント図形の移動の指示を含むものである、数値入力装置。
【請求項１４】
前記第１から第Ｎの軸の各座標軸画像データを含む、Ｎ次元の座標空間の画像データである座標空間画像データが前記画像データ記憶部で記憶されており、
前記画像表示部は、前記画像データ記憶部から読み出した座標空間画像データを表示する、請求項１３記載の数値入力装置。
【請求項１５】
前記座標空間画像データは、前記第１から第Ｎの値を引数とする所定の関数の値に応じて複数の領域に分割されている座標空間の画像データである、請求項１４記載の数値入力装置。
【請求項１６】
前記数値取得部が取得した第１から第Ｎの数値を引数とする所定の関数の計算結果の値を計算する計算部をさらに備え、
前記画像生成部は、前記計算部が計算した関数の計算結果の値の画像データである関数計算結果画像データをも生成し、
前記画像表示部は、前記関数計算結果画像データをも表示する、請求項１３から請求項１５のいずれか記載の数値入力装置。
【請求項１７】
前記画像生成部は、前記ポイント図形の位置に応じて表示位置を変更した前記拡大図形画像データを生成する、請求項１３から請求項１６のいずれか記載の数値入力装置。
【請求項１８】
前記画像生成部は、前記ポイント図形に対応する各座標軸の位置が前記拡大図形の拡大した領域内である場合には、当該拡大図形の位置を変更しない、請求項１３から請求項１６のいずれか記載の数値入力装置。
【請求項１９】
コンピュータを、
第１の軸と当該第１の軸の目盛及び数値と第２の軸と当該第２の軸の目盛及び数値とを有する座標平面の画像データである座標平面画像データが記憶される画像データ記憶部で記憶されている前記座標平面画像データの座標平面上の位置を示す図形であるポイント図形の画像データであるポイント図形画像データと、前記座標平面の一部の領域であって、前記ポイント図形の位置を含む領域を拡大した図形である拡大図形の画像データである拡大図形画像データとを生成する画像生成部、
前記画像データ記憶部から読み出した座標平面画像データと、前記画像生成部が生成したポイント図形画像データ及び拡大図形画像データとを表示する画像表示部、
前記画像表示部が表示したポイント図形の位置をグラフィカル・ユーザ・インターフェースによって指定する指示を受け付ける指示受付部、
前記座標平面上の前記ポイント図形の位置に対応する前記第１の軸の値である第１の数値と、前記第２の軸の値である第２の数値とを取得する数値取得部、
前記数値取得部が取得した第１及び第２の数値を出力する出力部、として機能させ、
前記画像生成部は、前記数値取得部が取得した第１の数値の画像データである第１の数値画像データ、及び前記数値取得部が取得した第２の数値の画像データである第２の数値画像データをも生成し、前記指示受付部が受け付けた指示によって指定された位置に対応するポイント図形画像データを生成し、
前記画像表示部は、前記第１の数値画像データと、前記第２の数値画像データとをも表示し、
前記指示受付部が受け付ける前記ポイント図形の位置の指定の指示は、当該ポイント図形の移動の指示を含むものである、プログラム。
【請求項２０】
コンピュータを、
第１の軸と当該第１の軸の目盛及び数値と第２の軸と当該第２の軸の目盛及び数値とを有する座標平面の画像データである座標平面画像データと、第３の軸と当該第３の軸の目盛及び数値とを有する座標軸の画像データである座標軸画像データとが記憶される画像データ記憶部で記憶されている前記座標平面画像データの座標平面上及び前記座標軸画像データの座標軸上の位置を示す図形であるポイント図形の画像データであるポイント図形画像データと、前記座標平面の一部の領域であって、前記ポイント図形の位置を含む領域を拡大した図形である拡大図形の画像データである拡大図形画像データとを生成する画像生成部、
前記画像データ記憶部から読み出した座標平面画像データ及び座標軸画像データと、前記画像生成部が生成したポイント図形画像データ及び拡大図形画像データとを表示する画像表示部、
前記画像表示部が表示したポイント図形の位置をグラフィカル・ユーザ・インターフェースによって指定する指示を受け付ける指示受付部、
前記ポイント図形の位置に対応する前記第３の軸の値である第３の数値を取得すると共に、前記座標平面上の前記ポイント図形の位置に対応する前記第１の軸の値である第１の数値と、前記第２の軸の値である第２の数値とを取得する数値取得部、
前記数値取得部が取得した第１から第３の数値を出力する出力部、として機能させ、
前記画像生成部は、前記数値取得部が取得した第１の数値の画像データである第１の数値画像データ、前記数値取得部が取得した第２の数値の画像データである第２の数値画像データ、及び、前記数値取得部が取得した第３の数値の画像データである第３の数値画像データをも生成し、前記指示受付部が受け付けた指示によって指定された位置に対応するポイント図形画像データを生成し、
前記画像表示部は、前記第１の数値画像データと、前記第２の数値画像データと、前記第３の数値画像データとをも表示し、
前記指示受付部が受け付ける前記ポイント図形の位置の指定の指示は、当該ポイント図形の移動の指示を含むものである、プログラム。
【請求項２１】
コンピュータを、
座標軸と当該座標軸の目盛及び数値とを有する画像データである座標軸画像データが記憶される画像データ記憶部で記憶されている前記座標軸画像データの座標軸上の位置を示す図形であるポイント図形の画像データであるポイント図形画像データと、前記座標軸の一部の領域であって、前記ポイント図形の位置を含む領域を拡大した図形である拡大図形の画像データである拡大図形画像データとを生成する画像生成部、
前記画像データ記憶部から読み出した座標軸画像データと、前記画像生成部が生成したポイント図形画像データ及び拡大図形画像データとを表示する画像表示部、
前記画像表示部が表示したポイント図形の位置をグラフィカル・ユーザ・インターフェースによって指定する指示を受け付ける指示受付部、
前記座標軸上の前記ポイント図形の位置に対応する数値を取得する数値取得部、
前記数値取得部が取得した数値を出力する出力部、として機能させ、
前記画像生成部は、前記数値取得部が取得した数値の画像データである数値画像データを生成し、前記指示受付部が受け付けた指示によって指定された位置に対応するポイント図形画像データを生成し、
前記画像表示部は、前記数値画像データをも表示し、
前記指示受付部が受け付ける前記ポイント図形の位置の指定の指示は、当該ポイント図形の移動の指示を含むものである、プログラム。
【請求項２２】
コンピュータを、
第１から第Ｎの軸（Ｎは２以上の整数）と当該第１から第Ｎの軸のそれぞれの目盛及び数値とを有する各座標軸の画像データである座標軸画像データが記憶される画像データ記憶部で記憶されている座標軸画像データの各座標軸上の位置を示す図形であるポイント図形の画像データであるポイント図形画像データと、前記各座標軸の一部の領域であって、前記ポイント図形に対応する位置を含む領域を拡大した図形である拡大図形の画像データである拡大図形画像データとをそれぞれ前記座標軸ごとに生成する画像生成部、
前記画像データ記憶部から読み出した座標軸画像データと、前記画像生成部が生成したポイント図形画像データ及び拡大図形画像データとを表示する画像表示部、
前記画像表示部が表示したポイント図形の位置をグラフィカル・ユーザ・インターフェースによって指定する指示を受け付ける指示受付部、
前記ポイント図形の位置に対応する前記第１から第Ｎの軸の値である第１から第Ｎの数値を取得する数値取得部、
前記数値取得部が取得した前記第１から第Ｎの数値を出力する出力部、として機能させ、
前記画像生成部は、前記数値取得部が取得した第１から第Ｎの数値の画像データである第１から第Ｎの数値画像データをも生成し、前記指示受付部が受け付けた指示によって指定された位置に対応するポイント図形画像データを生成し、
前記画像表示部は、前記第１から第Ｎの数値画像データをも表示し、
前記指示受付部が受け付ける前記ポイント図形の位置の指定の指示は、当該ポイント図形の移動の指示を含むものである、プログラム。
【請求項２３】
第１の軸と当該第１の軸の目盛及び数値と第２の軸と当該第２の軸の目盛及び数値とを有する座標平面の画像データである座標平面画像データが記憶される画像データ記憶部と、画像生成部と、画像表示部と、指示受付部と、数値取得部と、出力部とを用いて処理される数値入力方法であって、
前記画像生成部が、前記座標平面上の位置を示す図形であるポイント図形の画像データであるポイント図形画像データと、前記座標平面の一部の領域であって、前記ポイント図形の位置を含む領域を拡大した図形である拡大図形の画像データである拡大図形画像データとを生成する第１の画像生成ステップと、
前記画像表示部が、前記画像データ記憶部から読み出した座標平面画像データと、前記第１の画像生成ステップで生成したポイント図形画像データ及び拡大図形画像データとを表示する第１の画像表示ステップと、
前記指示受付部が、前記第１の画像表示ステップで表示したポイント図形の位置をグラフィカル・ユーザ・インターフェースによって指定する指示を受け付ける指示受付ステップと、
前記画像生成部が、前記指示受付ステップで受け付けた指示によって指定された位置に対応するポイント図形画像データを生成する第２の画像生成ステップと、
前記数値取得部が、前記座標平面上の前記ポイント図形の位置に対応する前記第１の軸の値である第１の数値と、前記第２の軸の値である第２の数値とを取得する数値取得ステップと、
前記出力部が、前記数値取得ステップで取得した第１及び第２の数値を出力する出力ステップと、
前記画像生成部が、前記数値取得ステップで取得した第１の数値の画像データである第１の数値画像データ、及び前記数値取得ステップで取得した第２の数値の画像データである第２の数値画像データを生成する第３の画像生成ステップと、
前記画像表示部が、前記第２の画像生成ステップで生成したポイント図形画像データと、前記第３の画像生成ステップで生成した第１の数値画像データと、第２の数値画像データとを表示する第２の画像表示ステップと、を備え、
前記指示受付ステップで受け付ける前記ポイント図形の位置の指定の指示は、当該ポイント図形の移動の指示を含むものである、数値入力方法。
【請求項２４】
第１の軸と当該第１の軸の目盛及び数値と第２の軸と当該第２の軸の目盛及び数値とを有する座標平面の画像データである座標平面画像データと、第３の軸と当該第３の軸の目盛及び数値とを有する座標軸の画像データである座標軸画像データとが記憶される画像データ記憶部と、画像生成部と、画像表示部と、指示受付部と、数値取得部と、出力部とを用いて処理される数値入力方法であって、
前記画像生成部が、前記座標平面上及び前記座標軸上の位置を示す図形であるポイント図形の画像データであるポイント図形画像データと、前記座標平面の一部の領域であって、前記ポイント図形の位置を含む領域を拡大した図形である拡大図形の画像データである拡大図形画像データとを生成する第１の画像生成ステップと、
前記画像表示部が、前記画像データ記憶部から読み出した座標平面画像データ及び座標軸画像データと、前記第１の画像生成ステップで生成したポイント図形画像データ及び拡大図形画像データとを表示する第１の画像表示ステップと、
前記指示受付部が、前記第１の画像表示ステップで表示したポイント図形の位置をグラフィカル・ユーザ・インターフェースによって指定する指示を受け付ける指示受付ステップと、
前記画像生成部が、前記指示受付ステップで受け付けた指示によって指定された位置に対応するポイント図形画像データを生成する第２の画像生成ステップと、
前記数値取得部が、前記ポイント図形の位置に対応する前記第３の軸の値である第３の数値を取得する第１の数値取得ステップと、
前記数値取得部が、前記座標平面上の前記ポイント図形の位置に対応する前記第１の軸の値である第１の数値と、前記第２の軸の値である第２の数値とを取得する第２の数値取得ステップと、
前記出力部が、前記第１及び第２の数値取得ステップで取得した第１から第３の数値を出力する出力ステップと、
前記画像生成部が、前記第２の数値取得ステップで取得した第１の数値の画像データである第１の数値画像データ、前記数値取得ステップで取得した第２の数値の画像データである第２の数値画像データ、及び、前記第１の数値取得ステップで取得した第３の数値の画像データである第３の数値画像データを生成する第３の画像生成ステップと、
前記画像表示部が、前記第２の画像生成ステップで生成したポイント図形画像データと、前記第３の画像生成ステップで生成した第１の数値画像データと、第２の数値画像データと、第３の数値画像データとを表示する第２の画像表示ステップと、を備え、
前記指示受付ステップで受け付ける前記ポイント図形の位置の指定の指示は、当該ポイント図形の移動の指示を含むものである、数値入力方法。
【請求項２５】
座標軸と当該座標軸の目盛及び数値とを有する画像データである座標軸画像データが記憶される画像データ記憶部と、画像生成部と、画像表示部と、指示受付部と、数値取得部と、出力部とを用いて処理される数値入力方法であって、
前記画像生成部が、前記座標軸上の位置を示す図形であるポイント図形の画像データであるポイント図形画像データと、前記座標軸の一部の領域であって、前記ポイント図形の位置を含む領域を拡大した図形である拡大図形の画像データである拡大図形画像データとを生成する第１の画像生成ステップと、
前記画像表示部が、前記画像データ記憶部から読み出した座標軸画像データと、前記第１の画像生成ステップで生成したポイント図形画像データ及び拡大図形画像データとを表示する第１の画像表示ステップと、
前記指示受付部が、前記第１の画像表示ステップで表示したポイント図形の位置をグラフィカル・ユーザ・インターフェースによって指定する指示を受け付ける指示受付ステップと、
前記画像生成部が、前記指示受付ステップで受け付けた指示によって指定された位置に対応するポイント図形画像データを生成する第２の画像生成ステップと、
前記数値取得部が、前記座標軸上の前記ポイント図形の位置に対応する数値を取得する数値取得ステップと、
前記出力部が、前記数値取得ステップで取得した数値を出力する出力ステップと、
前記画像生成部が、前記数値取得部が取得した数値の画像データである数値画像データを生成する第３の画像生成ステップと、
前記画像表示部が、前記第２の画像生成ステップで生成したポイント図形画像データと、前記第３の画像生成ステップで生成した数値画像データとを表示する第２の画像表示ステップと、を備え、
前記指示受付ステップで受け付ける前記ポイント図形の位置の指定の指示は、当該ポイント図形の移動の指示を含むものである、数値入力方法。
【請求項２６】
第１から第Ｎの軸（Ｎは２以上の整数）と当該第１から第Ｎの軸のそれぞれの目盛及び数値とを有する各座標軸の画像データである座標軸画像データが記憶される画像データ記憶部と、画像生成部と、画像表示部と、指示受付部と、数値取得部と、出力部とを用いて処理される数値入力方法であって、
前記画像生成部が、前記各座標軸上の位置を示す図形であるポイント図形の画像データであるポイント図形画像データと、前記各座標軸の一部の領域であって、前記ポイント図形に対応する位置を含む領域を拡大した図形である拡大図形の画像データである拡大図形画像データとをそれぞれ前記座標軸ごとに生成する第１の画像生成ステップと、
前記画像表示部が、前記画像データ記憶部から読み出した座標軸画像データと、前記第１の画像生成ステップで生成したポイント図形画像データ及び拡大図形画像データとを表示する第１の画像表示ステップと、
前記指示受付部が、前記第１の画像表示ステップで表示したポイント図形の位置をグラフィカル・ユーザ・インターフェースによって指定する指示を受け付ける指示受付ステップと、
前記画像生成部が、前記指示受付ステップで受け付けた指示によって指定された位置に対応するポイント図形画像データを生成する第２の画像生成ステップと、
前記数値取得部が、前記ポイント図形の位置に対応する前記第１から第Ｎの軸の値である第１から第Ｎの数値を取得する数値取得ステップと、
前記出力部が、前記数値取得ステップ取得した前記第１から第Ｎの数値を出力する出力ステップと、
前記画像生成部が、前記数値取得ステップで取得した第１から第Ｎの数値の画像データである第１から第Ｎの数値画像データを生成する第３の画像生成ステップと、
前記画像表示部が、前記第２の画像生成ステップで生成したポイント図形画像データと、前記第３の画像生成ステップで生成した第１から第Ｎの数値画像データとを表示する第２の画像表示ステップと、を備え、
前記指示受付ステップで受け付ける前記ポイント図形の位置の指定の指示は、当該ポイント図形の移動の指示を含むものである、数値入力方法。